(57)【要約】      （修正有）【課題】特に中央に寄せて上向きの胸バストにする下着を提供する。【解決手段】本考案に係る中央に寄せて上向きの胸バストにする下着は、女性の上半身用の下着であり、下着本体１０及び機能パッド２０を有する。胸と対応する箇所に１対の胸対応区域が形成され、内側１１及び締めベルト１４を有するものである。その内、前記内側１１は、下着本体１０における人間の肌と接触する一側に形成され、前記締めベルト１４は、伸縮性を備え、胸対応区域の間に位置するように、伸縮自在に内側１１に取り付けられ、また、該締めベルト１４の両端が内側１１に縫合され、中間段と内側１１との間に通り隙間１４１が形成される。【選択図】図１
0003192495.tif 000002
【実用新案登録請求の範囲】
【請求項１】
下着本体及び機能パッドを有し、
その内、前記下着本体は、胸と対応する箇所に１対の胸対応区域が形成され、また、内側及び締めベルトを備え、該締めベルトは、胸対応区域の間に位置するように、伸縮自在に内側に取り付けられ、該締めベルトの両端が内側に縫合され、中間段と内側との間に通り隙間が形成され、
前記機能パッドは、胸対応区域と対応するように、下着本体の内側に取り付けられ、軟性材質からなり、中央部が通り隙間に貫設され、接触側と、１対の持上げ部と、１対の寄せ部とを備え、該接触側は、機能パッドにおける下着本体と反対する側に形成され、該１対の持上げ部は、機能パッドの底部両側に設けられ、該１対の寄せ部は、持上げ部の上方に位置するように、機能パッドの左右両側に設けられ、また、該持上げ部の厚さが寄せ部の厚さより厚くすることを特徴とする中央に寄せて上向きの胸バストにする下着。
【請求項２】
前記機能パッドはさらに複数の滑り止め凸粒を備え、それらの滑り止め凸粒がそれぞれ間隔をおいて接触側に設けられ、該滑り止め凸粒の摩擦係数が接触側の摩擦係数より大きくなることを特徴とする請求項１に記載の中央に寄せて上向きの胸バストにする下着。
【請求項３】
前記締めベルトが伸縮性を備え、また、該締めベルトの両端が内側に縫合されることを特徴とする請求項１または２に記載の中央に寄せて上向きの胸バストにする下着。
【請求項４】
前記下着本体はさらに、１対のポケット及び１対の膨らみパッドを備え、該ポケットは、胸対応区域と対応するように、下着本体の内側に形成され、該膨らみパッドはそれぞれ、ポケットに設置され、また、前記締めベルトは、膨らみパッドの間に位置するように、伸縮自在に内側に取り付けられることを特徴とする請求項１乃至３の何れか１項に記載の中央に寄せて上向きの胸バストにする下着。
【請求項５】
前記下着本体の両側にそれぞれポケットと連通する開口が形成されることを特徴とする請求項４に記載の中央に寄せて上向きの胸バストにする下着。
【考案の詳細な説明】
【技術分野】
【０００１】
本考案は、衣類に関し、特に美胸の効果を有する中央に寄せて上向きの胸バストにする下着に関するものである。
【背景技術】
【０００２】
図7に示すように、既存のブラカップ付きＴシャツ４０は、内面の胸と対応する箇所に１対のポケットを備え、そのポケットの中にパット５０が設置され、そのパット５０によって乳首を突出することを防止する。また、ブラカップ付きＴシャツ４０は、柔らかい材質からなるので、肌と密着して着心地がよく、女性に大人気な商品となった。
【考案の概要】
【考案が解決しようとする課題】
【０００３】
しかしながら、既存のブラカップ付きＴシャツが乳首の突出を防止できるが、胸を安定に包んで固定する効果を有しなく、美胸の機能性が低下してしまうので、胸の下垂や崩れなどの問題をおこしながら美観的に劣り、改良することが必要であった。
【課題を解決するための手段】
【０００４】
本考案に係る中央に寄せて上向きの胸バストにする下着は、下着本体及び機能パッドを有し、
その内、前記下着本体は、胸と対応する箇所に１対の胸対応区域が形成され、また、内側及び締めベルトを備え、該締めベルトは、胸対応区域の間に位置するように、伸縮自在に内側に取り付けられ、該締めベルトの両端が内側に縫合され、中間段と内側との間に通り隙間が形成され、
前記機能パッドは、胸対応区域と対応するように、下着本体の内側に取り付けられ、軟性材質からなり、中央部が通り隙間に貫設され、接触側と、１対の持上げ部と、１対の寄せ部とを備え、該接触側は、機能パッドにおける下着本体と反対する側に形成され、該１対の持上げ部は、機能パッドの底部両側に設けられ、該１対の寄せ部は、持上げ部の上方に位置するように、機能パッドの左右両側に設けられ、また、該持上げ部の厚さが寄せ部の厚さより厚くするものである。
【０００５】
かかる中央に寄せて上向きの胸バストにする下着において、前記機能パッドはさらに複数の滑り止め凸粒を備え、それらの滑り止め凸粒がそれぞれ間隔をおいて接触側に設けられ、該滑り止め凸粒の摩擦係数が接触側の摩擦係数より大きくなることが好ましい。
【０００６】
かかる中央に寄せて上向きの胸バストにする下着において、前記締めベルトが伸縮性を備え、また、該締めベルトの両端が内側に縫合されることが好ましい。
【０００７】
かかる中央に寄せて上向きの胸バストにする下着において、前記下着本体はさらに、１対のポケット及び１対の膨らみパッドを備え、該ポケットは、胸対応区域と対応するように、下着本体の内側に形成され、該膨らみパッドはそれぞれ、ポケットに設置され、また、前記締めベルトは、膨らみパッドの間に位置するように、伸縮自在に内側に取り付けられることが好ましい。
【０００８】
かかる中央に寄せて上向きの胸バストにする下着において、前記下着本体の両側にそれぞれポケットと連通する開口が形成されることが好ましい。
【考案の効果】
【０００９】
本考案は上記の構成を有すれば、機能パッドが下着本体に付いても取り外してもでき、機能パッドにおける、厚めの持上げ部により胸を支えて上向きの美胸効果を提供すると共に、薄めの寄せ部により胸を脇から中央に寄せて谷間メイクを作れ、また、滑り止め凸粒により胸の肌に付着してずれることはなく、胸を支えながら脇から中央に寄せて上向きの美胸にすることができる。
【図面の簡単な説明】
【００１０】
【図１】本考案に係る中央に寄せて上向きの胸バストにする下着の第一実施例の斜視図である。
【図２】本考案に係る中央に寄せて上向きの胸バストにする下着の第一実施例の後面視部分分解平面図である。
【図３】本考案に係る中央に寄せて上向きの胸バストにする下着の第一実施例の後面視部分平面図である。
【図４】本考案に係る中央に寄せて上向きの胸バストにする下着の第二実施例の後面視部分平面図である。
【図５】本考案に係る中央に寄せて上向きの胸バストにする下着において、使用状態を示す側面図である。
【図６Ａ】本考案に係る中央に寄せて上向きの胸バストにする下着の第一実施例において、機能パッドをい取り外す操作を示す部分平面図である。
【図６Ｂ】本考案に係る中央に寄せて上向きの胸バストにする下着の第一実施例において、機能パッドを取り外す操作を示す部分平面図である。
【図６Ｃ】本考案に係る中央に寄せて上向きの胸バストにする下着の第一実施例において、機能パッドを取り外す操作を示す部分平面図である。
【図７】既存のブラカップ付きＴシャツの後面視斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１に示すように、本考案に係る中央に寄せて上向きの胸バストにする下着は、女性の上半身用の下着であり、下着本体１０及び機能パッド２０を有する。
【００１３】
図１乃至図３に示すように、本考案に係る中央に寄せて上向きの胸バストにする下着の第一実施例は、胸と対応する箇所に１対の胸対応区域１０１が形成され（図２及び図６Ｃの如く）、内側１１及び締めベルト１４を有するものである。
【００１４】
その内、前記内側１１は、下着本体１０における人間の肌と接触する一側に形成され、前記締めベルト１４は、伸縮性を備え、胸対応区域１０１の間に位置するように、伸縮自在に内側１１に取り付けられ、また、該締めベルト１４の両端が内側１１に縫合され、中間段と内側１１との間に通り隙間１４１が形成される。
【００１５】
図４に示すように、本考案の第二実施例は、殆ど第一実施例と同一であるが、下着本体１０のタイプが異なる。本実施例における下着本体１０は、胸と対応する箇所に１対の胸対応区域１０１が形成され、内側１１と、ポケット１２と、膨らみパッド１３と、締めベルト１４とを備える。該内側１１は、下着本体１０における肌と接触する一側に形成され、該ポケット１２は、胸対応区域１０１と対応するように、下着本体１０の内側１１に形成され、即ち、胸と対応するように、下着本体１０の内側１１に設けられ、該下着本体１０の両側にそれぞれポケット１２と連通する開口１２１が形成され、該膨らみパッド１３はそれぞれ、ポケット１２に設置され、開口１２１を通ってポケット１２から取り外すことができる。該締めベルト１４は、伸縮性を備え、膨らみパッド１３の間に位置するように、伸縮自在に内側１１に取り付けられ、また、該締めベルト１４の両端が内側１１に縫合され、中間段と内側１１との間に通り隙間１４１が形成される。
【００１６】
本考案の第一実施例及び第二実施例の機能パッド２０は、同一の構造を備えると共に、胸対応区域１０１と対応するように、下着本体１０の内側１１に取り付けられる。本考案に係る中央に寄せて上向きの胸バストにする下着を着ると、機能パッド２０がちょうど胸の位置に対応し、乳房を支えることができる。
【００１７】
図３及び図４に示すように、前記機能パッド２０は、軟性材質からなり、８字形を呈し、中央部が通り隙間１４１に貫設され、接触側２１と、１対の持上げ部２２と、１対の寄せ部２３と、複数の滑り止め凸粒２４とを備える。その内、該接触側２１は、機能パッド２０における下着本体１０と反対する側に形成され、即ち、肌と接触する側に設けられ、該１対の持上げ部２２は、機能パッド２０の底部両側に設けられ、該１対の寄せ部２３は、持上げ部２２の上方に位置するように、機能パッド２０の左右両側に設けられ、また、該持上げ部２２の厚さが寄せ部２３の厚さより厚くし、該複数の滑り止め凸粒２４は、シリコーン材料からなり、それぞれ間隔をおいて接触側２１に設けられ、該滑り止め凸粒２４の摩擦係数が接触側２１の摩擦係数より大きくなる。
【００１８】
図３及び図５に示すように、本考案に係る中央に寄せて上向きの胸バストにする下着を着用する時、厚めの持上げ部２２により胸を支えて上向きの美胸効果を提供すると共に、薄めの寄せ部２３により胸を脇から中央に寄せて谷間メイクも作れる。また、それらの滑り止め凸粒２４は、接触側２１より摩擦係数が大きいことから、胸の肌と接触すると、肌に付着してずれることはない。さらに、機能パッド２０の中央部が締めベルト１４の通り隙間１４１に位置決めることから、機能パッド２０を左右側へのずれることはない。上述したように、本考案に係る中央に寄せて上向きの胸バストにする下着は、胸を支えると共に、脇から中央に寄せて上向きの美胸を作れ、機能性及び美観性を向上させる。
【００１９】
図６Ａ乃至図６Ｃに示すように、本考案に係る中央に寄せて上向きの胸バストにする下着を洗濯する場合には、機能パッド２０を下着本体１０から取り外して別々に洗濯することができる。例えば、機能パッド２０を通り隙間１４１を通せるように折畳んで、右側または左側へ引いて下着本体１０から取り外すことができる。それによれば、下着本体１０及び機能パッド２０を別々に洗濯することができ、使用上、非常に便利である。
【００２０】
一方、本考案に中央に寄せて上向きの胸バストにする下着において、その実施例または図面に示したＴシャツのタイプが制限されてないので、水着やブラジャーなどの下着に付いてもよい。
【符号の説明】
【００２１】
１０    下着本体
１０１  胸対応区域
１１    内側
１２    ポケット
１３    膨らみパッド
１４    締めベルト
１４１  通り隙間
２０    機能パッド
２１    接触側
２２    持上げ部
２３    寄せ部
２４    滑り止め凸粒
【図１】
0003192495.tif 000003
【図２】
0003192495.tif 000004
【図３】
0003192495.tif 000005
【図４】
0003192495.tif 000006
【図５】
0003192495.tif 000007
【図６Ａ】
0003192495.tif 000008
【図６Ｂ】
0003192495.tif 000009
【図６Ｃ】
0003192495.tif 000010
【図７】
0003192495.tif 000011